(57)【要約】      （修正有）【課題】トラックの荷台を利用して、農作業現場で背負動力散布機や荷物などを背中に簡単に担がれて、楽に立ち上がることが出来る担ぎ台を提供する。【解決手段】背中に担ぐ物を置く台４と腰掛台６が左右のフレーム脚１に別々で一体に設けてあり、連結板１４によりこのフレーム脚に、別の左右のフレーム脚に別々で一体に設けてある２段の階段が隣り合わせで取付けられており、それぞれの両側フレーム脚の上部裏側にフックが付いており、軽トラックのあおりを開いた際に、あおりと軽トラック荷台との間に生ずる隙間にこのフックを引っ掛け、開いたあおりにフレーム脚を立て掛けて使用する。【選択図】図１
0003168498.tif 000002
【実用新案登録請求の範囲】
【請求項１】
背中に担ぐ物を置く台と腰掛台が左右のフレーム脚に別々で一体に設けてあり、連結板によりこのフレーム脚に、別の左右のフレーム脚に別々で一体に設けてある２段の階段が隣り合わせで取付けられており、それぞれの両側フレーム脚の上部裏側にフックが付いており、軽トラックのあおりを開いた際に、あおりと軽トラック荷台との間に生ずる隙間にこのフックを引っ掛け、開いたあおりにフレーム脚を立て掛けて使用することが出来ることを特徴とする昇降階段付き担ぎ台。
【請求項２】
担ぐ物を置く台及び腰掛け台及び２段の階段は、それぞれ支え板に取付けられ、片側にある支え板の支点で両側フレーム脚に連結され、両側フレーム脚の別な支点から連結されたそれぞれの支え棒が、支え板の溝部に入り込んで支え板を支えており、その支え板の片側を持ち上げて溝部と支え棒との連結を解除することにより、それぞれの支点を基点にして折りたたむことが出来ることを特徴とする請求項１記載の昇降階段付き担ぎ台。
【請求項３】
２段階段の片側フレーム脚上部に、昇降する際に手でつかまることが出来る手すり部が付いていることを特徴とする請求項１記載の昇降階段付き担ぎ台。
【考案の詳細な説明】
【技術分野】
【０００１】  この考案は、農作業などで軽トラを利用して背負動力散布機や荷物などを背中に担いで立ち上がる際に用いる担ぎ台と軽トラの荷台に昇り降りをする際に用いる昇降階段の形状に関する。
【背景技術】
【０００２】  農作業などで背負動力散布機や荷物などを背中に担いで立ち上がることは大変なことで平地からでは担いで立ち上がることが困難なために、従来までは殆どの作業者は軽トラの荷台に背負動力散布機や荷物などを置いて、軽トラ荷台を担ぎ台の代わりにして担いでいる。しかし、軽トラ荷台の高さが高過ぎて担ぐ状態が中腰で中途半端のために担ぎにくく、立ち上がりにくく大変難儀をして担いでいる。合せて、軽トラ荷台に置いた背負動力散布機の高さが高いために、地面からでは散布する肥料などを背負動力散布機などの中に入れることが出来ず、作業者は一度軽トラ荷台に上がり、肥料などを入れてから再び地面に降りて背負動力散布機などを担いで立ち上がっている。この為、軽トラ荷台が高いので地面からの昇り降りが大変で作業効率も悪く、しかも、軽トラ荷台から降りる際に足をねんざする心配もあり大変難儀な作業をしている。
【考案の開示】
【考案が解決しようとする課題】
【０００３】  しかしながら以上の技術によれば、担いで立ち上がりにくく、また軽トラ荷台への昇降は特に高齢者は回数が多くなると大変で、足をくじく心配も大きくなる。そこでこの考案は、背負動力散布機や荷物などを背中に担ぐ時に、簡単に担げて、楽に立ち上がることが出来る担ぎ台を提供することを課題とし、合せて、その担ぎ作業に連動する軽トラ荷台への昇降が楽に安全に出来る昇降階段を提供することを課題とし、またその担ぎ台及び昇降階段は持ち運びや収納が楽に出来ることを課題とする。
【課題を解決するための手段】
【０００４】  以上の課題を解決するために、本考案の昇降階段付き担ぎ台の第一考案は、軽トラのあおりを開いた際に出来る荷台との隙間にフックを引っ掛け、開いたあおりに担ぎ台を立て掛け、この担ぎ台に腰掛けた状態で背中に担ぐことが出来るようにし、しかも、担ぐ物を置く台は腰掛台よりも高くしたことで、担ぎやすく立ち上がりやすくなるようにした。合せて、この担ぎ台に隣り合わせで２段の階段を連結板で一体に取付けすることで、担ぎ台の物を置く台に置いた背負動力散布機などの中に肥料などを入れるための軽トラ荷台への昇降を楽に出来るようにした。また第二考案は、担ぎ台の腰掛け台及び担ぐ物を置く台及び２段の階段はそれぞれに折りたたむことが出来るようにし、持ち運びや収納が簡単で楽に出来るようにした。また第三考案は、２段の昇降階段の片側フレーム上部にてすり部を設けて楽に安全に軽トラ荷台への昇降が出来るようにした。
【考案の効果】
【０００５】  第一考案によれば、農作業者が田んぼや畑への行き帰りや肥料などの運搬によく使う軽トラを利用するもので、軽トラのあおりを開いた際に出来る荷台との隙間に、担ぎ台のフレーム脚上部裏側に設けたフックを引っ掛け、担ぎ台フレーム脚を開いたあおりに立て掛けた状態にして、この担ぎ台に腰掛けて背中に物を担ぐことが出来るようにし、担ぐ物を置く台は腰掛台よりも高くしたことにより、従来の軽トラ荷台を担ぎ台代わりに使って担いでいたような中腰状態にはならずに、担ぎやすく立ち上がりやすくなるようになった。合わせて２段の階段を担ぎ台に隣り合わせに一体で併設し、担ぎ台と同じように、フックを軽トラのあおりと軽トラ荷台との隙間に引っ掛け、開いたあおりに階段フレーム脚を立て掛け使用することで、担ぎ台の物を置く台に置いた背負動力散布機などの中に肥料などを入れるための軽トラ荷台への昇降が楽に出来るようになった。また第二考案によれば、担ぎ台の腰掛け台及び担ぐ物を置く台及び２段の階段はそれぞれに折りたたむことが出来るようにしたことから、持ち運びや収納が簡単で楽に出来るようになった。また、第三考案によれば、昇降階段の片側フレーム脚上部に手すり部を設けたことにより、楽に安全に軽トラ荷台への昇降が出来るようになった。
【考案を実施するための最良の形態】
【０００６】  この考案の実施形態を図面に基づき説明する。
図１は本考案の実施形態を表した斜視図で、金属角又は丸パイプ材を用いたフレーム脚１には上部裏側それぞれにフック３が一体で取り付けてあり、横板２により左右一対で一体で出来ており、物を置く台４は支え板５と一体で、腰掛台６は支え板７と一体で、それぞれフレーム脚１に一体で取り付けられている。金属角又は丸パイプ材を用いたフレーム脚８には、上部裏側それぞれにフック３と片側上部に手すり部９が一体で取り付けてあり、更に横板２により左右一対で一体で出来ている。階段１０は支え板１１と一体で、階段１２は支え板１３と一体で、それぞれフレーム脚８に一体で取り付けられている。フレーム脚１とフレーム脚８は、片側の上部分と下部分において連結板１４でネジ１５により一体になっている。図２は本考案の実施形態を表した平面図であり、図３は本考案の実施形態を表した正面図であり、図４は本考案の実施形態を表した図２のＡから見た担ぎ台の側面図であり、図５は本考案の実施形態を表した図２のＢから見た２段の階段の側面図である。図９は軽トラ２８のあおり２９を開いた時に軽トラ荷台との間に生ずる隙間３０にフック３を引っ掛け、開いたあおり２９にフレーム脚１を立て掛けた状態にして、本考案の担ぎ台を用いて作業者２６が背中に背負動力散布機を担いだ状態図であり、作業者２６は腰掛台６に腰掛けて、腰掛台６よりも約１５センチ位のＨの分だけ高い位置にある物を置く台４に背負動力散布機を置いて担いでいる。又、上記構成から解るように図１の連結板１４をフレーム脚１及びフレーム脚８から取り外すことで、担ぎ台と２段階段はそれぞれ単独で使用することも可能である。
【実施形態の効果】
【０００７】  この実施形態によれば、図９の図示の如く、農作業でよく使う軽トラと本考案の担ぎ台を組合せ利用することで、農作業現場で背負動力散布機や荷物などを背中に担ぐことが出来て、更にこの担ぎ台は腰掛台よりも担ぐ物を置く台の高さを高くしたことにより簡単に担ぐことが出来、楽に立ち上がることが出来る。合わせて、２段の階段を担ぎ台に隣り合わせに一体で取付けし、しかも、この階段の片側フレーム脚上部に手すり部を設けたことにより、担ぎ台の物を置く台に置いた背負動力散布機などの中に肥料などを入れるための軽トラ荷台への昇降が楽に安全に出来るようになった。
【他の実施形態】
【０００８】  図６に本考案の昇降階段付き担ぎ台の他の実施形態を表した、図２のａ−ａから見た担ぎ台の側面図である。金属角又は丸パイプ材を用いたフレーム脚１の上部裏側にはフック３が取り付けてあり、物を置く台４はフレーム脚１に支点１６と支点１９で係合する支え板５の溝部１７で支え棒１８により支えられている。腰掛台６はフレーム脚１に支点２０で係合する支え板７と支点２４で係合するプレート２３の支点２５と支え板７の溝部２１で支え棒２２により支えられている。図７に本考案の昇降階段付き担ぎ台の他の実施形態を表した、図２のｂ−ｂから見た２段の階段の側面図である。金属角又は丸パイプ材を用いたフレーム脚８の上部裏側にはフック３が取り付けてあり、階段１２はフレーム脚８に支点１６と、支点１９で係合する支え板１３の溝部１７で支え棒１８により支えられている。階段１０はフレーム脚８に支点２０で係合する支え板１１と、支点２４で係合するプレート２３の支点２５と支え板１１の溝部２１で支え棒２２により支えられている。従って、上記の構成から解るように、図８の如く担ぎ台は、支え板５及び支え板７の片側を持ち上げることで、溝部１７及び溝部２１から支え棒１８及び支え棒２２の連結を解除することが出来、支点１６及び支点２０を基点にして折りたたむことが出来る。また、上記構成から解るように、図７で示す２段階段も上記担ぎ台と同様にして折りたたむことが出来る。
【図面の簡単な説明】
【０００９】
【図１】本考案の実施形態を表した斜視図である。
【符号の説明】
【００１０】  １  フレーム脚    ２  横板          ３  フック        ４  物を置く台
５  支え板        ６  腰掛台        ７  支え板        ８  フレーム脚
９  手すり部    １０  階段        １１  支え板      １２  階段
１３  支え板      １４  連結板      １５  ネジ
【図２】
本考案の実施形態を表した平面図である。
【図３】
本考案の実施形態を表した正面図である。
【符号の説明】
【００１１】  ４  物を置く台    ６  腰掛台      １０  階段        １２  階段
【図４】
本考案の実施形態の担ぎ台部を［図２］のＡより見た側面図である。
【符号の説明】
【００１２】  １  フレーム脚    ３  フック      ４  物を置く  台    ５  支え板
６  腰掛台        ７  支え板
【図５】
本考案の実施形態の階段部を［図２］のＢより見た側面図である。
【符号の説明】
【００１３】  ３  フック        ８  フレーム脚      ９  手すり部      １０  階段
１１  支え板      １２  階段          １３  支え板
【図６】
本考案の他の実施形態の担ぎ台部を［図２］のａ−ａから見た側面図である。
【符号の説明】
【００１４】  １  フレーム脚    ３  フック        ４  物を置く台      ５  支え板
６  腰掛台        ７  支え板      １６  支点          １７  溝部
１８  支え棒      １９  支点        ２０  支点          ２１  溝部
２２  支え棒      ２３  プレート    ２４  支点          ２５  支点
【図７】
本考案の他の実施形態の階段部を［図２］のｂ−ｂから見た側面図である。
【符号の説明】
【００１５】  ３  フック        ８  フレーム脚  １０  階段          １１  支え板
１２  階段        １３  支え板      １６  支点          １７  溝部
１８  支え棒      １９  支点        ２０  支点          ２１  溝部
２２  支え棒      ２３  プレート    ２４  支点          ２５  支点
【図８】
本考案の他の実施形態の担ぎ台部を折りたたんだ状態の側面図である。
【符号の説明】
【００１６】  １  フレーム脚    ４  物を置く台    ５  支え板          ６  腰掛台
７  支え板      １６  支点        １７  溝部          １８  支え棒
１９  支点        ２０  支点        ２１  溝部          ２２  支え棒
２３  プレート    ２４  支点        ２５  支点
【図９】
本考案の担ぎ台を、軽トラあおりと軽トラ荷台との隙間にフックを引っ掛けて、開いたあおりに立て掛け、本担ぎ台の腰掛台に腰掛けて背負動力散布機を担いだ状態の図である。
【符号の説明】
【００１７】  １  フレーム脚    ３  フック        ４  物を置く台      ６  腰掛台
２６  作業者      ２７  背負動力散布機                  ２８  軽トラ
２９  あおり      ３０  隙間        Ｈ  腰掛台と物を置く台との高さの差
【図１】
0003168498.tif 000003
【図２】
0003168498.tif 000004
【図３】
0003168498.tif 000005
【図４】
0003168498.tif 000006
【図５】
0003168498.tif 000007
【図６】
0003168498.tif 000008
【図７】
0003168498.tif 000009
【図８】
0003168498.tif 000010
【図９】
0003168498.tif 000011